(57)【要約】      （修正有）【課題】屋外の畑で育成している苗を害虫や鳥などの野生動物や風害等から保護すると共に肥料や水分を包含可能な苗ガードを提供する。【解決手段】苗の周囲を囲繞して保護する苗ガード１であって、屈折自在な折部２５で連結された四側面を形成する矩形筒の防風部２と、その防風部２の下端から下方に垂直に突出した差込足部３が形成されていて、前記防風部２と差込足部３とは表面１０と裏面２０の間に中空筒部３０を貫通列設した平面板体で一体的に形成されている。中空筒部３０には肥料又は防虫成分からなる棒状のスティックを装填している。【選択図】図１
0003186974.tif 000002
【実用新案登録請求の範囲】
【請求項１】
苗又は苗木の周囲を囲繞して保護する苗ガードであって、前記苗ガードは屈折自在な折部で連結された四側面を形成する矩形筒の防風部と、その防風部の下端から下方に垂直に突出した差込足部が形成されてなり、前記防風部と差込足部とは平面板体で一体的に形成されていることを特徴とする苗ガード。
【請求項２】
前記差込足部は、矩形筒の四側面を接続する屈折自在な折部の下端から下方に傾斜して略三角形に垂下した鋭利端部で４隅に設けたことを特徴とする請求項１記載の苗ガード。
【請求項３】
前記差込足部は、矩形筒の四側面の屈折自在な折部から略三角形に垂下した鋭利端部で、左右の三角形の差込足部の各間には、切れ目によって下側に屈折陥没する所定幅の角部と、その周辺の外側に張り出す垂れ部が形成されていることを特徴とする請求項１に記載の苗ガード。
【請求項４】
前記矩形筒の防風部は、一枚の平面板体であって、その展開板体の一側縁部に係合突部を配置するとともに、前記係合突部の反対側の他側縁部に係止用切欠部を設け、前記係合突部が前記切欠部に差し入れ係止することで、展開板体の両端部を連結して矩形の防風部を形成したことを特徴とする請求項１〜請求項３いずれかに記載の苗ガード。
【請求項５】
前記矩形の防風部および差込部を形成する平面板体が、表面と裏面の間に中空筒部を多数貫通列設した構造であって、前記筒部が上方に筒口を開口したことを特徴とする請求項１〜請求項４のいずれかに記載の苗ガード。
【請求項６】
苗又は苗木の周囲を囲繞して保護する苗ガードであって、前記苗ガードは屈折自在な折部で連結された四側面を形成する矩形筒の防風部と、その防風部の下端から下方に垂直に突出した差込足部が形成されてなり、前記防風部と差込足部とは表面と裏面の間に中空筒部を貫通列設した平面板体で一体的に形成されていて、前記中空筒部に肥料又は防虫成分からなる棒状のスティックを装填してなることを特徴とする苗ガード。
【考案の詳細な説明】
【技術分野】
【０００１】
本考案は、苗又は苗木を保護するために使用する苗ガードに関する。
一般農家または家庭菜園等における屋外の畑で栽培育成される例えば野菜等の苗を囲って保護する苗ガードに関する。
【背景技術】
【０００２】
農作物や植物を栽培するに際し、芽を出した苗や苗木を、強風や、野生動物の被害や虫の被害から保護する等の目的で、保護カバーで苗等を被うことが行われている。
この従来の保護カバーは、図１０、図１１のように、苗の周囲に４本の棒を突き刺して立て、手持ちのビニール袋を筒状にカットして被せ、苗の周囲に四角筒状のビニール囲いを作成するものである。
【０００３】
このビニール袋での苗の囲いを「あんどん囲い」と称している。
あんどん囲いは、苗や苗木を主として風から保護するものであり、４本の支持棒を４角形の位置で土中に刺し込み立設し、これを枠としてビニール袋を被せたものである。通常は、支持棒やビニール袋を持参し、畑のその場で作っている。
材料は、支持棒とビニール袋であるので、農家や家庭菜園には常備している材料であるので、容易に作成できるからである。
【０００４】
なお、苗や苗木の保護には、実公昭３６−３１８１１「促成栽培用の覆の支骨」や、特開２００９−１０６１７２「育苗用保護カバー」などが開示されている。
苗や苗木を覆って保護するものである。
【０００５】
その他、保護カバーの材質を改良したものとして特公昭３９−５１６０４「農業用被覆」のが提案されている。
農業用被覆はその材質に肥料粉末を混ぜるか、肥料粉末の混合物をフィルムに塗布して形成したものである。雨水に晒されると肥料分が溶出する発想である。
【０００６】
従来の苗の保護カバーの設置の仕方は、例えば「あんどん囲い」では、支持棒を土中に深く突き刺すことによって地面に固定し、「促成栽培用の覆の支骨」も同様の土中に刺し込み、「育苗用保護カバー」は、別途備えた止め杭で固定することで行われている。
保護カバーは、まだ弱い苗又は苗木を、地を這う風から守り、虫を除け、生育を助けるもので、苗の時期には不可欠なものである。
【先行技術文献】
【特許文献】
【０００７】
【特許文献１】実公昭３６−３１８１１「促成栽培用の覆の支骨」
【０００８】
【特許文献２】特開２００９−１０６１７２「育苗用保護カバー」
【考案の概要】
【考案が解決しようとする課題】
【０００９】
従来の「あんどん囲い」その他の保護カバーは、支持棒や杭を、所定の箇所に打設するということが必要である。
ところがこの打設が面倒であり、特に自前の指示棒を四角形の位置に刺し込むとか、多数の支持棒を適宜位置に刺し込むのはたいへんに手間がかかる。
支持棒は、垂直に指すことが求められ、間隔もなるべく正確にしないと、あとでビニール袋を被せることができず、修正しなければならなくなる。
【００１０】
また、防風のために立設するのであるが、指示棒が弱いと「あんどん囲い」自体が、風に耐えられずに転倒する場合や飛ばされることもある。
支持棒は、１本ごとに刺し込まれているので、差しやすいが耐久性はその刺し込み次第であり、相当な深さにさすことが必要である。
そのため「あんどん囲い」の実際の施行には、経験者の設置工夫が教示されることが必要である。
専門的な農家でない家庭菜園などの日曜菜園家では、なるべく力仕事にならず手間がかからない機具や用具が要請される。
特公昭３９−５１６０４「農業用被覆」のように、肥料粉末の混合物をフィルムに塗布するものは、肥料の量や種類が自由にならず、実際的ではない。
【００１１】
本考案は、あんどん囲いと同様な機能をまずワンタッチで設置できるように構成することが目的である。
刺し込みは、同じ深さで肩を並べ、かつ綺麗に並べることが目的である。
【００１２】
そして、苗に被せて地面に載置された状態で地面に安定的に固定することができ、風で飛ばされるのを防止でき、野生小動物や虫の被害から苗を保護でき、必要に応じて肥料成分や水分を苗の周囲や内部に流入させることも可能な苗ガードの提供を課題とするものである。
【課題を解決するための手段】
【００１３】
前記課題を解決するため、本考案は以下の手段構成を備えた苗ガードを提案する。
【００１４】
苗又は苗木の周囲を囲繞してその苗又は苗木を保護する苗ガードであって、前記苗ガードは屈折自在な折部で連結された四側面を形成する矩形筒の防風部と、その防風部の下端から下方に垂直に突出した差込足部が形成されてなり、前記防風部と差込足部とは合成樹脂平面板体で一体的に形成されていることを特徴とするものである。
【００１５】
合成樹脂平面板体は、半透明や透明材で日射を取り入れる材料や、不透明材で日光を遮断する素材などが選ばれる。
防風部の表現は、防風機能を強調した表現であって、囲いや囲繞部と同じ意味合いである。
防風部は、上方を開口していて日射や雨はそのまま取り入れるが、側面視で苗が見て取れて生育度を視認できるので、半透明材が好ましい。
【００１６】
前記矩形の防風部および差込部を形成する平面板体は、一層板ではなく、その強度の要請や軽量化のために、表面と裏面の間に中空円筒部を貫通列設した三層構造や、表面と裏面の間に隔壁を列設して角筒を多数設けた構造である。
三層構造の平面板体は、内部の前記列設された筒部が上方に筒口を開口した構造である。
この構造であるので、適宜数の筒口から肥料スティックや防虫スティックの装填を行い、又水を注入滞留できるようになっている。
【００１７】
本考案の苗ガードは苗等の周囲に被せられて当該苗等を保護する囲繞体であって、当該苗ガードの矩形の四側面を形成する防風部と、該防風部の下端開口角縁部から下方に垂直に突出した差込足部が形成されている。
防風部と差込足部とは一枚板として一体的に形成されており、垂直に突出するという意味は、防風部から差込足部への面が傾斜していないことつまり錐形やテーパーを形成しないということであり、垂直であるので刺し込みが容易に正確にできることになる。
【００１８】
そして、屈折自在な折部で連結された四側面を形成する矩形筒の防風部は、その屈折部の折り込みの程度で、菱形や鋭い菱形や、正方形に変形できるものとなっている。
屈折自在にすることは、保管収納時にはコンパクトにでき、使用時には適宜の形状を選択して使用できることになる。
苗ガードは、矩形筒である防風部の上方を開口し、下方の差込足部の内側を開口している。
【００１９】
また、前記差込足部の各間には、切れ目によって下側に陥没する所定幅の角部と、その周辺の外側に張り出す垂れ部が形成したものを提案する。
切り落としが無く、かつ屈折部の差込足部４本と角部４本の計８本の足で土中に刺し込むので、安定した固定ができる。
この構成では、垂れ部の折り目に数個の孔を穿設して、Ｕ字杭で留めることで、さらに固定をしっかりできる。
【００２０】
防風部と差込足部を形成する平面板体は、表面と裏面の間に中空筒部を貫通列設した三層構造である。
三層構造の平面板体は、内部の前記列設された筒部が上方に筒口を開口している。
貫通列設される筒部は、開口した筒状部があればよいので、円筒部に限らず波状スペーサやいわゆる鋸刃状のスペーサや表面と裏面の間に縦方向の隔壁を多数介在させて角形の中空筒部を列設形成してもよい。
【００２１】
前記苗ガード本体は、一枚の平面板体であって、その展開板体の一側縁部に係合突部を配置するとともに、前記係合突部の反対側の他側縁部に係止用切欠部を設け、前記係合突部が前記切欠部に差し入れ係止することで、展開板体の両端部を連結して矩形筒として、矩形の防風部を形成したことも特徴とする。
折り畳み、組み立て自在であるので、収納保管に便利である。
なお、矩形の防風部に組立てる時に、接着剤やホッチキスやステープラーでの固着を除くものではなく、組み立て手段は、限定されるものではない。
【考案の効果】
【００２２】
本考案に係る苗ガードは、苗に被せて囲繞し地面に載置されることにより、鳥等の野生動物や虫の被害から植物を保護できるのはもとより、以下の効果を奏する。
【００２３】
（１）苗ガードは、囲繞した苗を、強風から守る。
（２）苗ガードは、強烈な日射から、苗を守る。
（３）上下方は開口しているので、弱風や雨水は取り入れるので生育には問題がなく、半透明材を使用した時は側面視でも内部を視認もしやすい。
（４）防風部の高さにもよるが、鳥害、虫害、小動物の被害を少なくできる。
（５）菜園に、並べて同方向で配置するので綺麗な感性のある菜園ができる。
【００２４】
（６）苗ガードは、一枚板で作成してあるので保管収納に便利である。
（７）屈折程度が自在な屈折部で矩形を形成しているので、屈折程度を変えることで上面視で菱形や正方形などが作れるので、例えば海浜の菜園では海風の方向に向かって菱形に配置するなどの、形状変化が選択できる。
（８）本苗ガードは組み立てて、苗の場所に置いて上から垂直に押すだけで、土中に差込足部を垂直に刺すことができ、ワンタッチで設置できる。
四本の足部は、角部にあるので、一旦刺さった形は、垂直に上げるしか抜けない効果があり、頑丈な設置ができる。
【００２５】
（９）差込足部の各間に、切れ目によって下側に陥没する所定幅の角部と、その周辺の外側に張り出す垂れ部を形成したものは、差込足部と角部の両方を土中に突き刺すことで、苗ガード本体が安定し、より耐風性が増す。
（１０）筒部列設や波状スペーサや鋸刃状スペーサを中間層に設けた三層構造の平面板体で作成した苗ガードは、設置後に筒部に肥料スティックや水分を挿入して、その筒部の内部を伝って肥料や水分を土中にしみこませることができる。
（１１）合成樹脂で作成した平面板体からなる苗ガードは、毎年何回も使用できる。耐久性がある苗ガードが提供でき、「あんどん囲い」のビニール袋のように使い捨てではなくなる。
自然分解する植物を主成分とした生分解性プラスティックを数種所定割合で混練して分解期間を調整した素材の平面板体を用いた場合は、ある程度の期間分解されずかつ数回の使用後には、土中に埋めて自然分解するので、長期使用後に自然分解させるという要望にも対応できる。
【００２６】
（１２）さらに本考案に係る苗ガードは、一枚のシートから成っていて、
その展開板体の一側縁部に係合突部を配置するとともに、前記係合突部の反対側の他側縁部に係止用切欠部を設け、前記係合突部が前記切欠部に差し入れ係止することで、展開板体の両端部を連結して矩形筒とする。
これにより、使用しない期間は一枚のシートとして保管でき、使用する際は畑の現場において工具などを使用せずに容易に組み立てることができる。
又、半分だけ組み立てて畳んでおくこともできる。
【図面の簡単な説明】
【００２７】
【図１】本考案に係る苗ガードの実施例１を示すもので、一部拡大図を含む全体斜視図である。
【図２】本考案に係る苗ガードの実施例１の全体展開図である
【図３】本考案に係る苗ガードで８本の差込足部を形成した実施例２を示す全体展開図である。
【図４】本考案に係る苗ガードの実施例３を示す全体展開図である。差込足部の差込み面の面積を大きくした形態である。
【図５】本考案に係る苗ガードの実施例１を、苗の周囲に垂直に刺し込む状態を示す説明図である。
【図６】本考案に係る実施例１の苗ガードを、その屈折角度を調整して菱形にして、数個同列に配置し設置した平面図である。風向きが矢標方向の畑に配置する例を示している。
【図７】本考案に係る苗ガードの実施例４を示すもので、前記差込足部の各間に、切れ目によって下側に陥没する小さい差込足部となる所定幅の角部と、その周辺の外側に張り出す垂部を形成した斜視図である。
【図８】同じく苗ガードの実施例４を示すもので、設置例を示す斜視図である。
【図９】防風部を形成する平面板体で、三層構造の板体を示すもので、筒部にスティック状の肥料や防虫剤の装填や雨水の滞留通過を示している一部拡大説明図である。
【図１０】従来用いられている苗の保護用「あんどん囲い」の設置例を示す斜視図である。支持棒を適宜四角の位置に刺し込み、ビニール袋を被せて作った囲いである。
【考案を実施するための形態】
【実施例１】
【００２８】
次にこの考案に係る苗ガードの実施形態を説明する。
図１、図２は、本考案に係る苗ガード（１）を示す実施例１で、苗又は苗木の周囲を囲繞し被せて使用するものであり、当該苗を保護する苗ガード（１）である。
苗ガード（１）は、四側面を形成する防風部（２）と、該防風部（２）の上端開口側と、該防風部の下端開口角縁部から下方に鋭く突出した複数の差込足部（３）を設けたものである。
前記差込足部（２）は、矩形筒の四側面を接続する屈折自在な折部（２５）の下端から下方に傾斜して略三角形に垂下した鋭利端部で、４隅に設けている。
【００２９】
前記苗ガードは屈折自在な折部（２５）で連結された四側面を形成する矩形筒の防風部（２）と、その防風部（２）の下端から下方に垂直に突出した差込足部（３）とは合成樹脂平面板体で一体的に形成されている。
平面板体一枚をプレスカットして製造されている。
前記差込足部（３）は、四側面を接続する屈折自在な折部（２５）の両側で下端から上方に幅を広げる略三角形に垂下した鋭利端部で、各折部（２５）の４隅に設けている。
折部（２５）は屈折自在であるので、屈折程度を変更することで、平面視で鋭い菱形や正方形などに変形できる。
【００３０】
本実施例１においては、前記防風部（２）は、肉厚が５ｍｍの薄肉の半透明な樹脂製で四つの折部（２５）が作る平面視で四角筒形状であり、折部（２５）下端の四隅に突出した差込足部（３）を設けている。
表面（１０）は１ｍｍ、裏面（２０）は１ｍｍ、中間の筒部（３０）は４ｍｍで実施した。なお、これより薄い板１〜３ｍｍでも三層であると十分な耐久性がある。
その上端の一辺の幅は２５０ｍｍに形成され、その高さは３００ｍｍに形成されている。
防風部（２）である四角筒形状の上端と下端は開放している。
【００３１】
差込足部（３）は、四角筒形状の四隅下端に鋭く突出した２枚の三角形が屈折部で直角又は鋭角につながった長さ８０ｍｍの土中への刺し込み突起である。
苗ガードの全体長は、外形寸法が幅×奥行×高さ：２５０ｍｍ×２５０ｍｍ×３８０ｍｍになる。８０ｍｍが差込足部（３）の高さに設計している。
【００３２】
防風部（２）は、苗又は苗木を包囲して囲繞する平面板体で、防風のほか適度な遮光、小動物からの隔離の機能がある。
素材は、半透明・透明・不透明材など選択できる。
半透明な素材や透明素材を用いるのは、内部の苗を外から見えて、植物の成長に必要な日照量を確保できるからである。
防風を主体とするものは不透明素材でも作成できる。  
設計寸法は、苗又は苗木の種類などによっても異なるが、防風部（２）の厚さは、１〜８ｍｍ程度の幅で薄肉の樹脂製のものであり、一面は、幅２００ｍｍ×高さ３００ｍｍのほか、幅２５０〜２５５ｍｍ程度、高さは３００〜４００ｍｍ程度の大きさなど、苗や苗木の種類に応じて、設計できる。
【００３３】
防風部（２）は、厚さが５ｍｍの半透明なポリプロピレン（ＰＰ）樹脂製の平面板体を四角筒に組み立てたものである。
平面板体は、表面（１０）と裏面（２０）の間に垂直方向に配置された円形の筒部（３０）を内部に多数本列設した三層構造である。
円形の筒部（３０）の代わりに、表面（１０）と裏面（２０）の間に波状スペーサが作る多数の筒部（３０）を挟んだ三層構造でもよい。
つまり表面（１０）と裏面（２０）の板材間に中空筒部（３０）を縦に多数列設した構成である。
三層構造の平面板体の上端部は、筒口を上方に向けて開口している。
円筒の開口端部や図示していないが波状スペーサが作る筒部（３０）が上方を向いている。
【００３４】
そして、実施例１の苗ガード（１）は、図２の展開図で示す通り、表面（１０）と裏面（２０）の間に垂直方向に配置された円形の筒部（３０）を内部に多数本列設した三層構造の板体をプレスカットして作製され、その展開板体の一側縁部に係合突部（２１）を配置するとともに、前記係合突部（２１）の反対側の他側縁部に係止用切欠部（２２）を設け、前記係合突部（２１）が前記切欠部（２２）に差し入れ係止することで、展開板体の両端部を連結して矩形筒としている。
【００３５】
苗ガード（１）を組み立てるには、防風部（２）の両側縁部に設けられた２つの前記係合突部（２１）を前記係止用切欠部（２２）に刺し込んで固定するだけで良い。
折部（２５）の屈折程度で、矩形の形態を変化させることができる。
【００３６】
差込足部（３）の形状は、図２、図３、図４で３種類示したが、土中に刺し込みやすく自然には抜けにくい形状であることが必要である。
図２は、折部（２５）に夫々設けた４つの差込足部（３）を示し、図３はその差込足部（３）の間に土中に突き刺す小さい角部（４１）を４個所に設けた構成である。
総計８本の差込足部（３）で刺さるので、耐風性の高い設置ができる。
【００３７】
図４は、差込足部（３）を、面積を大きくすべく折部（２５）の間に切り出したものである。
深さが採れない畑のときや砂地など軽い土などでは、若干使い勝手が良い。
【００３８】
また、図６で示すように本考案に係る苗ガード（１）は、苗ガード（１）の全体形状を調整することができる。
風向きがほぼ定まっている畑では、風の抵抗を避けるべく、対向面は流線型が好ましいが、このような場合は、風向きを考慮して風の抵抗が少ない菱形形状に固定する。
その他、苗の形や大きさなど、苗又は苗木の形に合わせて、かたちを変形させて調整できる。
【００３９】
実施例１では、平面板体の上方端部に小さく開口した筒部（１０）が設けられており、該筒部（１０）には、苗に有用な栄養分肥料スティック（３１）や、防虫剤スティック（３１）などの任意の成分を含有するスティック（３１）を選択的に装填している。
スティック（３１）は、固形棒状で１０ｃｍ程度の長さで、筒部（１０）に挿入できる細さである。
なお、筒部（３０）には、棒状のスティック（３１）に限らず、液体肥料や液状乃至は粉末状の防虫剤を注入できるが、数か月に及ぶ設置の場合は、固形スティック（３１）の挿入充填が好ましい。
固形棒状のスティック（３１）は、装填すると苗ガード（１）の錘にもなり、全体強度が強くなる。
雨水などで水溶し、肥料の成分が根元近くの土に徐々に少量づつ浸透していく。
筒部（１０）には、自然と雨水等の水分を滞留することもできる。
【００４０】
このような構成の苗ガード（１）は、図５のように組み立てて、苗床の苗のそれぞれを囲繞する位置に置き、上から強く垂直に押し込んで差込足部（３）を土中に刺す。
差込足部（３）の根元まで刺すと、下端縁が地面に当接するのでそれ以上は刺し込むのが非常に困難になり、その線で落ち着き、各苗ガード（１）は同じ深さを刺し込んで、同じ高さに並ぶことになる。
【実施例２】
【００４１】
実施例２は、８本の差込足部（３）を形成したもので、実施例１の足部（３）の中間に夫々角部＝差込足部（３）を設けた構成である。
実施例２に示す苗ガード（１）は、平面板体は、表面（１０）と裏面（２０）の間に角形の中空角筒部（３０）を貫通列設した構造のポリプロピレン製の板体である。ポリプロピレン製であるので、毎年使用できる耐久性がある。
表面（１０）と裏面（２０）の間には多数の縦の隔壁を設けて細い角筒を作っている。
この平面板体を図３の展開図のようにプレスカットして、折部（２５）を作り、作成される。
【００４２】
実施例３は、差込足部（３）の差込み面の面積を大きくした形態であって、矩形の中空筒である防風部（２）を形成する４面の側面の下方に差込足部（３）を設けたものである。
筒部（３０）を備えた三層の平面板体で作成し、折り曲げて屈折組み立てる。
筒部（３０）に肥料スティック（３１）や防虫スティック（３１）を刺し込んで使用される。
【００４３】
図７、図８に示す実施例４の苗ガード（１）は、その差込足部（３）を四側面の屈折自在な折部（２５）から略三角形に垂下した鋭利端部で形成し、左右の三角形の差込足部（３）の各間には、切れ目によって下側に屈折陥没する所定幅の角部（４１）と、その周辺の外側に張り出す垂部（４）が形成されているものである。
垂部（４）の根元の屈折部には、孔（５）が設けられ、雨水の浸透や、別途準備されるＵ字杭（４２）を逆Ｕ字の方向で刺し込み止めることができる。
垂部（４）は、地面に密着するので、苗床ブラックシートを敷設しないで土が露出した状態でも雨水から周囲を保護することになり、雨水による土砂流れなどを防止できる。
孔（５）は水分を取り入れるだけではなく、通気口としても機能する。
【００４４】
また、土質や傾斜のある地面、さらには強風が常態である土地では、より強固に苗ガード（１）を固定する必要がある。
その場合を想定して、実施例４は、図７、図８で示したように、孔（５）を利用して垂部（４）をＵ字杭（４２）で貫通して固定することもできる。
そして、８本の差込足部（３）で土中に刺さるので、苗ガード（１）はより安定するものとなる。
Ｕ字杭（４２）は、非腐食性で、繊維強化樹脂成形体などが好ましい。
【００４５】
図９は、防風部（２）を形成する平面板体で、三層構造の板体を示すもので、筒部（３０）にスティック状の肥料や防虫剤の装填や雨水の滞留通過を示している一部拡大説明図である。
図９では、その、防風部（２）を作成する素材を、耐久性のある合成樹脂製とするタイプ、あるいはその耐久性は数年で生分解するように例えば脂肪族ポリエステルの分解速度は６ケ月以下であるが他の成分からなるポリエステル重合体などを加えてその自然分解期間を長期にしたタイプ、とした平面板体を使用している。
平面板体の構造は、平面板体は、表面（１０）と裏面（２０）の間に垂直方向に配置された筒部（３０）を内部に多数本列設し、筒口を上方に開口した構造である。
【００４６】
筒部（３０）には、肥料スティック（３１）や、防虫剤スティック（３１）などのスティック（３１）を選択的に装填している。
スティック（３１）は、固形棒状で１０ｃｍ程度の長さで、筒部（１０）に挿入できる細さである。
つまり、苗又は苗木の周囲を囲繞して保護する苗ガード（１）であって、前記苗ガード（１）は屈折自在な折部（２５）で連結された四側面を形成する矩形筒の防風部（２）と、その防風部（２）の下端から下方に垂直に突出した差込足部（３）が形成されてなり、前記防風部（２）と差込足部（３）とは表面（１０）と裏面（２０）の間に中空筒部（３０）を貫通列設した平面板体で一体的に形成されていて、前記中空筒部（３０）に肥料又は防虫成分等からなる棒状のスティック（３１）を装填している苗ガードとなっている。
選択的に装填するとは、土壌に合う成分の固形棒状のスティック（３１）を、筒部（３０）に装填することで、土壌に合う改良や苗に合う肥料付与ができる。
また、その環境に応じた防虫剤スティック（３１）や、小動物の嫌臭剤スティック（３１）を装填することで被害防御も可能である。
【００４７】
本考案は、前記構成の苗ガード（１）と棒状スティック（３１）の組み合わせで、労力を少なくして上方から押し刺すだけで容易に綺麗な配置で、あんどん囲いの苗ガードが設置でき、設置された苗ガードは、しっかりと土中に刺しこまれ、苗をガードする。
苗ガードはその平面板体の組成により、数年間繰り返し使用できるものとなっている。
さらに平面板体の組成により自然分解期間を設定しておき、ある期間経過すると苗ガードは自然分解して土にかえるようにすることも可能である。
【００４８】
本考案に係る苗ガードは、素材や色彩など前記実施例で示したものに限定されるものではなく、請求の範囲の記載内で種々の設計変更が可能であることはいうまでもない。
【産業上の利用可能性】
【００４９】
本考案の苗ガードは、家庭菜園などであんどん囲いとして設置されるもので、苗又は苗木の保護ガードとしてはきわめて簡単で廉価に作成できる。
折り畳みできる筒体であるので、保管収納も容易である。
【００５０】
家庭菜園などの畑、農業における苗床の苗ガードとして使用できるほか、各種のスティックを交換することによる試験的な環境を作成することができるので、
環境作成の試験用品としての利用価値もある。
【符号の説明】
【００５１】
１    苗ガード
２    防風部
３    差込足部
１０  表面
２０  裏面
３０  筒部
３１  肥料等の棒状のスティック
４    垂部
４１  角部
５    孔
【図１】
0003186974.tif 000003
【図２】
0003186974.tif 000004
【図３】
0003186974.tif 000005
【図４】
0003186974.tif 000006
【図５】
0003186974.tif 000007
【図６】
0003186974.tif 000008
【図７】
0003186974.tif 000009
【図８】
0003186974.tif 000010
【図９】
0003186974.tif 000011
【図１０】
0003186974.tif 000012